(57)【要約】【課題】電気接続箱内の水の排出を速やかに且つ確実に行わせる。【解決手段】電気接続箱の底部に水抜き孔２を設けた電気接続箱の排水構造で、水抜き孔２が、一対の対向する傾斜部１６と、一対の傾斜部に続くスリット状の出口１７とを有する。傾斜部１６の両側に、スリット状の出口１７へ続く空間２１を設けた。傾斜部１６は一対でなく一つでもよい。傾斜部１６の傾斜面１６ａが垂直な端面２０を介してスリット状の出口１７に続いていてもよい。【選択図】　　　図３
2004064873.tif 000002
【特許請求の範囲】
【請求項１】
電気接続箱の底部に水抜き孔を設けた電気接続箱の排水構造において、前記水抜き孔が、一対の対向する傾斜部と、該一対の傾斜部に続くスリット状の出口とを有することを特徴とする電気接続箱の排水構造。
【請求項２】
前記傾斜部の両側に、前記スリット状の出口へ続く空間が設けられたことを特徴とする請求項１記載の電気接続箱の排水構造。
【請求項３】
電気接続箱の底部に水抜き孔を設けた電気接続箱の排水構造において、前記水抜き孔が、傾斜部と、該傾斜部の両側の空間と、該傾斜部と該空間とに続くスリット状の出口とを有することを特徴とする電気接続箱の排水構造。
【請求項４】
前記傾斜部が一対対向して設けられ、一対の傾斜部の間に前記スリット状の出口が設けられたことを特徴とする請求項３記載の電気接続箱の排水構造。
【請求項５】
前記傾斜部の傾斜面が垂直な端面を介して前記スリット状の出口に続いていることを特徴とする請求項１〜４の何れか１項に記載の電気接続箱の排水構造。
【発明の詳細な説明】
【０００１】
【発明の属する技術分野】
本発明は、リレーボックスやヒューズボックスといった電気接続箱のロアカバー内に溜まった水を効率良く外部に排出させる電気接続箱の排水構造に関するものである。
【０００２】
【従来の技術】
図５は、従来の電気接続箱のロアカバーの排水構造の一形態を示すものである。
【０００３】
電気接続箱としては自動車に搭載されるリレーボックスが使用され、リレーボックスは例えばロアカバー３１とアッパカバー（図示せず）と、両カバーの間に配置されるケース（図示せず）と、ケースに装着されるリレーやヒューズ等の電気部品（図示せず）と、ケース内に収容されるバスバー配線板等（図示せず）を備えている。ケースから導出されたワイヤハーネス（複数本の電線）はロアカバー３１内で束ねられて、ロアカバー３１の開口３２から外部に導出される。
【０００４】
接続箱本体であるロアカバー３１とアッパカバーとケースとは合成樹脂で形成され、両カバーはケースに係止突起（図示せず）と係合枠部３３といった係止手段で着脱可能に固定される。ロアカバー３１の最も低い側の底壁３４に排水用の水抜き孔３５が本形態で二つ設けられており、リレーボックス内に浸入した雨水や洗浄水や結露等が各水抜き孔３５から外部に排出されて、リレーや配線板等の電気回路にショート等の悪影響を及ぼさないようになっている。
【０００５】
水抜き孔３５は図６（ａ）〜（ｃ）に側断面図と平面図と９０゜方向の断面図をそれぞれ示す如く、矩形状に形成され、前後の側壁３８と、左右１８０°方向の側壁を切欠した出口（開口）３６と、孔底壁３７とを有して、水平方向の左右の出口３６から外部に水滴が導出されるようになっている。
【０００６】
上記形態以外にも例えば実開昭５６−１３６４２９号公報には、一つの傾斜壁を有する水抜き孔を備えるロアカバー（図示せず）が記載され、傾斜壁に沿って水滴が外部に導出されるようになっている。
また、リレーボックス以外にもヒューズボックスやその他の電気接続箱にも上記各水抜き孔３５は適用され得る。
【０００７】
【発明が解決しようとする課題】
しかしながら、上記従来の排水構造にあっては、表面張力によって水滴が水抜き孔に付着するために、水が完全には抜けきらず、ロアカバー３１内に溜まってしまい、例えばロアカバー側のワイヤハーネスに水が付着して絶縁性が低下しやすいという懸念があった。また、排水性を良くしようとして水抜き孔３５の出口３６を大きくした場合には、例えば外部から跳ね上がった水が水抜き孔３５からロアカバー３１内に浸入してしまい同様の不具合を生じる懸念があった。
【０００８】
本発明は、上記した点に鑑み、水抜き孔の出口を小さくしても、水の表面張力の影響を受けることなく電気接続箱底部の水を完全に抜き去ることのできる電気接続箱の排水構造を提供することを目的とする。
【０００９】
【課題を解決するための手段】
上記目的を達成するために、本発明の請求項１に係る電気接続箱の排水構造は、電気接続箱の底部に水抜き孔を設けた電気接続箱の排水構造において、前記水抜き孔が、一対の対向する傾斜部と、該一対の傾斜部に続くスリット状の出口とを有することを特徴とする。
上記構成により、一対の傾斜部に沿って電気接続箱内の水が案内されて勢い良く流れ落ち、且つ各傾斜部に沿って流れ落ちた水が相互に干渉して押し出し方向に排出力を高めるから、電気接続箱内の水が迅速に且つ残留なく確実に排出される。また、スリット状の出口が狭いから、外部から出口を通って電気接続箱の内部へ水や塵が浸入することが防止される。
【００１０】
請求項２に係る電気接続箱の排水構造は、請求項１記載の電気接続箱の排水構造において、前記傾斜部の両側に、前記スリット状の出口へ続く空間が設けられたことを特徴とする。
上記構成により、スリット状の出口の排出能力を上回る量の水は両側の空間に一時溜められて、両側の空間内の水は傾斜部を流れる強い勢いの水と一体化してスリット状の出口から確実に排出される。傾斜部から両側の空間内に落下する水によっても空間内の水の排出力が高められる。また、傾斜部が両側の空間の間で突出しているから、水抜き孔内の水の表面張力が弱められ、水がスムーズ且つ迅速に排出される。
【００１１】
請求項３に係る電気接続箱の排水構造は、電気接続箱の底部に水抜き孔を設けた電気接続箱の排水構造において、前記水抜き孔が、傾斜部と、該傾斜部の両側の空間と、該傾斜部と該空間とに続くスリット状の出口とを有することを特徴とする。
上記構成により、傾斜部に沿って水が案内されて勢い良く流れ落ちると共に、スリット状の出口の排出能力を上回る量の水は両側の空間に一時溜められて、両側の空間内の水は傾斜部を流れる強い勢いの水と一体化してスリット状の出口から確実に排出される。傾斜部から両側の空間内に落下する水によっても空間内の水の排出力が高められる。また、傾斜部が両側の空間の間で突出しているから、水抜き孔内の水の表面張力が弱められ、水がスムーズ且つ迅速に排出される。スリット状の狭い出口によって外部からの水や塵の浸入が防止される。
【００１２】
請求項４に係る電気接続箱の排水構造は、請求項３記載の電気接続箱の排水構造において、前記傾斜部が一対対向して設けられ、一対の傾斜部の間に前記スリット状の出口が設けられたことを特徴とする。
上記構成により、一対の傾斜部に沿って電気接続箱内の水が案内されて勢い良く流れ落ち、且つ各傾斜部に沿って流れ落ちた水が相互に干渉して排出力を高めるから、電気接続箱内の水が迅速に且つ残留なく確実に排出される。
【００１３】
請求項５に係る電気接続箱の排水構造は、請求項１〜４の何れか１項に記載の電気接続箱の排水構造において、前記傾斜部の傾斜面が垂直な端面を介して前記スリット状の出口に続いていることを特徴とする。
上記構成により、傾斜面に沿って勢い良く案内された水が垂直な端面でさらに加速されてスリット状の出口から勢い良く排出される。また、一対の傾斜部に沿って流れ落ちた水が相互に干渉するスペースが増して水の排出力が一層高められ、排水能力が向上する。
【００１４】
【発明の実施の形態】
以下に本発明の実施の形態を図面に基づいて詳細に説明する。
図１〜図２は、本発明に係る電気接続箱の排水構造を含む合成樹脂製のロアカバーの一形態を示すものである。
このロアカバー１は従来例の図５で示したものと外観はほぼ同様であるが、水抜き孔２の形状が図３〜図４に示す如く従来とは大きく異なっている。
【００１５】
図１，図２においてロアカバー１は矩形状に形成され、直交する二つの側壁３，４に続いて傾斜状の底壁７が設けられ、傾斜状の底壁７は他の二つの側壁５，６寄りの一段低い水平な底壁８に続いている。この低い底壁（底部）８の左右両側寄りに二つの水抜き孔２が設けられている。
【００１６】
底壁８に続く側壁５にワイヤハーネス導出用の開口２２が設けられている。各側壁３〜６の上部に、中間のケース（図示せず）に対する可撓性の係止枠片９が突設され、底側に、車両ボディに対する固定用のブラケット１０が設けられている。
【００１７】
各水抜き孔２は、底壁８から下向きに突出した小さな略矩形箱状の壁部１１（図２）の内部に形成され、矩形箱状の壁部１１は前後左右の側壁１２と、下側の一部開口した底壁１３と、一側壁１２から下向きに延長された突出壁１４とで構成されている。突出壁１４は底壁１３の出口（開口）から導出された水滴を外部に落下させやすくするための案内壁として作用する。
【００１８】
図３（ａ）は水抜き孔２の側断面図、図３（ｂ）は同じく平面図、図３（ｃ）は（ａ）とは直交する方向の断面図、図４は図３（ａ）のほぼ片側半分を示す要部斜視図である。
【００１９】
この水抜き孔２は、前記略矩形箱状の壁部１１の内側の凹部１５内に一対のテーパ状の傾斜面１６ａを有する傾斜壁（傾斜部）１６を備え、一対の傾斜壁１６の間において底壁１３にスリット状の狭い出口（開口）１７を有している。傾斜壁１６は凹部１５の幅方向中央において左右両側に対向して位置している。
【００２０】
図４の如く傾斜壁１６の一端（長辺側）１６ｂは凹部１５の垂直な内壁１８に直交し、傾斜壁１６の他端（短辺側）１６ｃはスリット状の出口１７の垂直な内面１９と同一平面に位置している。傾斜面１６ａの一端１６ｂはロアカバー１（図１）の底壁（底部）８に交差して続き、傾斜面１６ａの他端１６ｃはスリット状の出口１７の垂直な内面１９と同一平面の端面（垂直面）２０に交差して続いている。傾斜面１６ｂの傾斜角度は、水滴の落下性を高めるべく６０゜前後であることが好ましい。
【００２１】
傾斜壁１６の両側には傾斜壁１６でほぼ区画された略矩形状の空間２１が形成され、各空間２１はスリット状の出口１７に連通している。傾斜壁１６の傾斜面１６ａの下端１６ｃは図３（ａ）の如く凹部１５の深さの半分程度の位置にある。傾斜面１６ａの下端１６ｃをスリット状の出口１７の上端ないし下端と一致させるべく、図４で傾斜面１６ａの角度を深く（急勾配に）設定することも可能であるが、図３（ａ）の如くスリット状の出口１７に続く垂直面２０がある方が、傾斜面１６ａからの水滴の落下速度が加速され、排水性が高くなる。
【００２２】
ロアカバー１の底壁８上の水滴は傾斜面１６ａに沿って加速をつけながら流れ落ちるが、傾斜壁１６の両側に略矩形状の空間２１があるから、例えば水の量が多くて一度に排出できない場合には、空間２１内に一時溜められてから順次スリット状の出口１７から排出される。空間２１内の水は傾斜面１６ａに沿って落下する水の勢いでもって一緒に確実に排出される。
【００２３】
また、スリット状の狭い出口１７を採用したことで、外部からの水の跳ね返りや洗浄水等が出口７からロアカバー１内に浸入することがなく、電気接続箱の防水性が高まる。
【００２４】
なお、浸入する水量が少ない場合や、ロアカバー１の側壁５，６に近接して水抜き孔２を設ける場合には、図４の状態すなわち傾斜壁１６を一対ではなく一つにして、傾斜壁１６の両側に空間２１を設けることも可能である。また、空間２１をなくして、左右一対の傾斜壁１６のみで凹部１５を構成することも可能である。また、上記水抜き孔２はロアカバー１に限らず、合成樹脂製の接続箱本体の底部に設けることで効力を発揮するものである。ロアカバー１も接続箱本体の一部である。
【００２５】
【発明の効果】
以上の如く、請求項１記載の発明によれば、一対の傾斜部によって電気接続箱底部の水がスムーズに案内されつつ効率的に排出されるから、電気接続箱内の例えばワイヤハーネスに水が付着した状態に保持されることがなくなり、ワイヤハーネスの絶縁性能の低下等の不具合が防止される。また、スリット状の狭い出口によって外部からの跳ね上げ水や洗浄水や塵等の浸入が防止されるから、これによっても電気接続箱内のワイヤハーネスの絶縁性能の低下等が防止される。
【００２６】
請求項２記載の発明によれば、傾斜部の両側の空間によって水の一時溜め部が構成されるから、スリット状の狭い出口でも十分排水が可能となり、しかも傾斜部から両側の空間内に落下する水によって空間内の水の排出力が高められ、さらに傾斜部が両側の空間の間で突出したことで、水抜き孔内の水の表面張力が弱められるから、外部からの水の浸入を確実に防止しつつ、水の排出性能を向上させることができ、請求項１記載の発明の効果が一層助長される。
【００２７】
請求項３記載の発明によれば、傾斜部によって電気接続箱底部の水がスムーズに案内されつつ効率的に排出され、また、スリット状の狭い出口によって外部からの跳ね上げ水や洗浄水や塵等の浸入が防止され、さらに、傾斜部の両側の空間によって水の一時溜め部が構成され、スリット状の狭い出口でも十分排水が可能となり、しかも傾斜部から両側の空間内に落下する水によって空間内の水の排出力が高められ、さらに傾斜部が両側の空間の間で突出したことで、水抜き孔内の水の表面張力が弱められるから、外部からの水の浸入を確実に防止しつつ、水の排出性能を向上させることができる。これにより、電気接続箱内の例えばワイヤハーネスに水が付着した状態に保持されることがなくなり、ワイヤハーネスの絶縁性能の低下等の不具合が防止される。
【００２８】
請求項４記載の発明によれば、一対の傾斜部に沿って流れ落ちた水が相互に干渉して排出力を高めることで、電気接続箱内の水の排水性能が向上するから、請求項３記載の発明の効果が一層助長される。
【００２９】
請求項５記載の発明によれば、傾斜面に沿って勢い良く案内された水が垂直な端面でさらに加速されるから、排水能力が向上し、請求項１〜４記載の発明の効果が一層助長される。
【図面の簡単な説明】
【図１】本発明に係る電気接続箱の排水構造を備えるロアカバーの一形態を示す平面図である。
【図２】同じくロアカバーを示す側面図である。
【図３】水抜き孔を示し、（ａ）は側断面図、（ｂ）は平面図、（ｃ）は（ａ）とは直交する方向の断面図である。
【図４】同じく水抜き孔を示す要部斜視図である。
【図５】従来の排水構造を備えるロアカバーを示す平面図である。
【図６】従来の水抜き孔を示し、（ａ）は側断面図、（ｂ）は平面図、（ｃ）は（ａ）とは直交する方向の断面図である。
【符号の説明】
２　　　水抜き孔
１６　　傾斜壁（傾斜部）
１６ａ　傾斜面
１７　　スリット状の出口
２０　　端面
２１　　空間
【図１】
2004064873.tif 000003
【図２】
2004064873.tif 000004
【図３】
2004064873.tif 000005
【図４】
2004064873.tif 000006
【図５】
2004064873.tif 000007
【図６】
2004064873.tif 000008